(57)【要約】【課題】  家屋内などの床面で用いられる防水パンに立ち上げ縁取り部分があって床側壁面との間に隙間が生じても、面倒な仕上げをすることなく隙間を覆い排水漏れ防止を確実・完全なものにすることができ、目地材の施工作業が容易で安価に行な得て取り扱いの簡易化を図る。  【解決手段】  床面の排水口に嵌合されて床面Ａに固定され、排水を外部に洩れることなく受けて排出できる防水パン１の外周縁２を被覆する縁取り片３の下面に差し込みレール４を突出して備え、該差し込みレール４に壁面Ｂへ着脱自在に備えられる固定部材５を設けて、防水パン１の立ち上げ縁取り部分の外周縁２と壁面Ｂとの間の隙間Ｄを覆い排水漏れやゴミ溜まりがないように構成した。【選択図】    図１
0003107273.tif 000002
【実用新案登録請求の範囲】
【請求項１】
床面の排水口に嵌合されて床面に固定され、排水を外部に洩れることなく受けて排出できる防水パンの外周縁を被覆する縁取り片に差し込みレールを備え、該差し込みレールに壁面へ着脱自在に備えられる固定部材を設けたことを特徴とする防水パンにおける目地材。
【請求項２】
請求項１記載の防水パンにおける目地材において、前記縁取り片が、前記防水パンの外周縁上面に載置され、片隅または両隅に突き合わせ縁部を形成して連接配備したことを特徴とする防水パンにおける目地材。
【請求項３】
請求項１または２記載の防水パンにおける目地材において、前記縁取り片が、前記防水パンの外周縁上面に載置され、防水パンの側面または／および後面と壁面との間に介在され、縁取り片の端部に防水パンの前面を被覆するカバー体を備えたことを特徴とする防水パンにおける目地材。
【請求項４】
請求項１，２または３記載の防水パンにおける目地材において、前記固定部材が、壁面に直接または巾木を介して接着する接着剤層を備えていることを特徴とする防水パンにおける目地材。  
【請求項５】
請求項３または４記載の防水パンにおける目地材において、前記縁取り片が、前記防水パンの外周縁上面に載置され、縁取り片の外縁に沿って切離用のＶ溝を設けたことを特徴とする防水パンにおける目地材。  
【請求項６】
請求項５記載の防水パンにおける目地材において、前記縁取り片の差し込みレールが、一体に成形される合成樹脂製品であって、突条、溝条或いは凹凸面からなる挿入部を有し、該挿入部を前記固定部材の嵌合溝に嵌入されることを特徴とする防水パンにおける目地材。
【考案の詳細な説明】
【技術分野】
【０００１】
本考案は、住宅内の洗い場或いはバスルームやマンションの台所、洗面所、ベランダでの流し場或いは流し台やユニットバスなどの各種キャビネット内など床面の排水口に取り付けられる防水パン、特に洗濯機などの排水ホースを接続連結する防水パンにおける目地材に関するものである。
【背景技術】
【０００２】
従来の防水パンは、工場において製造した全体が皿状になっているものを建築現場に運んで設置することが多く、寸法はいろいろあるものの殆どが規格化されていて、現場での多くの手作業工程を必要とせずに直接家屋床面に固定して用いるようになっている。
【０００３】
特許文献１の防水パンは、家屋の床９に防水パン１が設置され、固定具６が挿通孔５に挿通され、固定具６の頭部７が収納凹部４内に収納するまで床９にねじ込まれて床９上に固定されている。そして収納凹部４の上面開口部に化粧栓部材８が着脱自在に嵌着されていることが記載されている。
【０００４】
【特許文献１】実開昭５８−５０１７１号公報
【考案の開示】
【考案が解決しようとする課題】
【０００５】
この従来の住宅などの家屋の床上では、防水パンを固定し易くなっているものの、周縁部を立ち上げた防水パンでは、立ち上げ縁取り部分と床側壁面との間に大きな隙間が生じやすく、この隙間をモルタル塗りで仕上げるとか、その他の仕上げをしなくてはならなくなって面倒であり、また集合住宅のように水漏れ防止を確実・完全なものにすることが要求される住宅や、ユニットタイプの体裁に重きをおくものでは、防水パンの周囲に生ずる隙間は排水漏れの掃除がしにくいし、ほこりやゴミの溜まり場にもなり、不衛生で且つ汚らしく不体裁になるため、化粧直しをする必要があって、作業工程数が多い上に作業が煩雑化して問題があった。
【０００６】
本考案は、これら従来の不便さを排除しようとするもので、洗い場或いはキャビネット内などの床面で用いられる防水パンに立ち上げ縁取り部分があって床側壁面との間に隙間が生じても、面倒な仕上げをすることなく隙間を覆い排水漏れ防止を確実・完全なものにすることができ、しかも防水パンの周囲のほこりやゴミの溜まり場もなくして綺麗に用いることができるし、防水パンの縁周りの化粧回しとなって体裁良好であり、衛生的に取り扱い得ると共に、目地材の施工作業が容易で安価に行うことができる低コストの防水パンにおける目地材を提供することを目的としている。  
【課題を解決するための手段】
【０００７】
本考案は、上記目的を達成するために次の技術的手段を講じている。
即ち、請求項１に係る考案は、防水パンにおける目地材において、床面の排水口に嵌合されて床面に固定され、排水を外部に洩れることなく受けて排出できる防水パンの外周縁を被覆する縁取り片に差し込みレールを備え、該差し込みレールに壁面へ着脱自在に備えられる固定部材を設けたことで、床面で用いられる防水パンに立ち上げ縁取り部分があって壁面との間に隙間が生じても、面倒な仕上げをすることなく隙間を覆い排水漏れ防止を確実・完全なものにすることができるようにしている。
【０００８】
また、本考案の請求項２記載の考案は、請求項１記載の防水パンにおける目地材において、前記縁取り片が、前記防水パンの外周縁上面に載置され、片隅または両隅に突き合わせ縁部を形成して連接配備したことで、防水パンの周囲のほこりやゴミの溜まり場もなくして綺麗に用いることができるし、防水パンの縁周りの化粧回しとなって体裁良好であり、衛生的に取り扱うことができることを特徴としている。
【０００９】
さらに、本考案の請求項３記載の考案は、請求項１または請求項２記載の防水パンにおける目地材において、前記縁取り片が、前記防水パンの外周縁上面に載置され、防水パンの側面または／および後面と壁面との間に介在され、縁取り片の端部に防水パンの前面を被覆するカバー体を備えたことで、防水パンの縁周りの化粧回しとなって体裁良好であり、衛生的に取り扱い得るものである。  
【００１０】
さらにまた、本考案の請求項４記載の考案は、請求項１、請求項２または請求項３記載の防水パンにおける目地材において、前記固定部材が、壁面に直接または巾木を介して接着する接着剤層を備えていることで、目地材の施工作業が容易で安価に行うことができる低コストの防水パンにおける目地材とすることができる。
【００１１】
本考案の請求項５の考案は、請求項３または請求項４記載の防水パンにおける目地材において、前記縁取り片が、前記防水パンの外周縁上面に載置され、縁取り片の外縁に沿って切離用のＶ溝を設けたことで、床面で用いられる防水パンに立ち上げ縁取り部分があって壁面との間に寸法違いの隙間が生じても、面倒な仕上げをすることなく、簡単に隙間に対応したカバーとして覆い排水漏れ防止を確実・完全なものにすることができる。
【００１２】
本考案の請求項６の考案は、請求項５記載の防水パンにおける目地材において、前記縁取り片の差し込みレールが、一体に成形される合成樹脂製品であって、突条、溝条或いは凹凸面からなる挿入部を有し、該挿入部を前記固定部材の嵌合溝に嵌入されることで、目地材の施工作業が容易で安価に行うこと可能であり、取り扱いの簡易化を図ることができる。  
【考案の効果】
【００１３】
本考案によると、洗い場或いはキャビネット内などの床面で用いられる防水パンに立ち上げ縁取り部分があって側壁面との間に隙間が生じても、面倒な仕上げをすることなく隙間を覆い排水漏れ防止を確実・完全なものにすることができ、しかも防水パンの周囲のほこりやゴミの溜まり場もなくして綺麗に用いることができるし、防水パンの縁周りの化粧回しとなって体裁良好であり、衛生的に取り扱い得ると共に、目地材の施工作業が容易で安価に行うことができる低コストの防水パンにおける目地材を提供することができる。
【考案を実施するための最良の形態】
【００１４】
以下、本考案に係る防水パンにおける目地材の実施形態を図面を参照して説明する。
この実施の形態における防水パンにおける目地材では、図１乃至図３に示すように、床面の排水口に嵌合されて床面Ａに固定され、排水を外部に洩れることなく受けて排出できる防水パン１の外周縁２を被覆する縁取り片３の下面に差し込みレール４を突出して備え、該差し込みレール４に壁面Ｂへ着脱自在に備えられる固定部材５を設けて、防水パン１の立ち上げ縁取り部分の外周縁２と壁面Ｂとの間の隙間Ｄを覆い排水漏れやゴミ溜まりがないようにしてある。
【００１５】
図１および図２の例では、前記縁取り片３が、前記防水パン１の外周縁２上面に載置され、片隅または両隅に突き合わせ縁部６を形成して連接配備され、防水パン１の側面または／および後面と壁面との間に介在され、縁取り片３の端部に防水パン１の前面を被覆するカバー体７を備え、隙間Ｄを覆って防水パン１の周囲のほこりやゴミの溜まり場もなくして綺麗に用いることができ、防水パン１の縁周りの化粧回しとして見栄えがよく体裁を良くする形態にしてある。
【００１６】
この目地材において、前記固定部材５は、前記差し込みレール４を挿入しうる嵌合溝８を長手方向に有し、さらに壁面Ｂに直接または巾木Ｃを介して接着する接着剤層９を一側面に備えていて、防水パン１の外周縁２と壁面Ｂとの間の隙間Ｄに介在させて、前記縁取り片３を防水パン１の外周縁２の上面に載置固定できるようにし、該隙間Ｄを覆い排水漏れやゴミ溜まりがないようにしてある。  
この場合、縁取り片３の差し込みレール４は、予め壁面Ｂに接着した前記固定部材５に長手方向に設けた嵌合溝８に着脱自在に差し込み、前記縁取り片３が外周縁２の上面に載置保持できるようにするのがよい。また、この差し込みレール４は縁取り片３に一体に形成するか或いは別個体を適宜固定手段で結合したものが選んで用いられる。
【００１７】
なお、前記縁取り片３としては、前記防水パン１の外周縁上面に載置されて枠状に組み合わせられる形態に構成されるもので、防水パン１が床面Ａに設置される状態、例えば後面と片側面との壁面Ｂのある片隅に沿って設置される場合と、両側面に壁面Ｂがなく後面のみの壁面Ｂに沿って設置される場合と或いは、後面と両側面とに壁面Ｂのある、即ち両隅のある壁面Ｂに沿って設置される場合とに対応した枠状構成に形成される。
そして、縁取り片３の下面に外縁に沿って一条又は二条の切離用のＶ溝１０を設けて、壁面Ｂに巾木Ｃのない場合には、該Ｖ溝１０から外周側を切り取って巾方向の寸法合わせが調整できるようにしてある。
また、前記縁取り片３の端縁は、壁面Ｂに接触させる寸法或いは可及的に接近させる寸法のものを用い、壁面Ｂに沿わせて飛沫水などの隙間への浸入を防ぐと共に、施工体裁をも良好にすることができるように考慮してあるが、必要に応じ縁取り片３の端縁には、壁面Ｂとの間の継ぎ目に水漏れを防止するパテ材１４を塗って定着すれば、縁取り片３が防水パン１の外周縁２上面に載置保持でき安全性を図ることもできる。
【００１８】
さらに、前記縁取り片３の差し込みレール４は、縁取り片３と一体に成形される合成樹脂製品であって、突条、溝条或いは凹凸面部１１からなる挿入部を有し、該挿入部を前記固定部材の嵌合溝８に嵌入され脱抜防止構造とするのがよい。
この場合、縁取り片３は、その全体が高密度ポリエチレン、ポリプロピレンとエチレンのコポリマ、硬質ポリ塩化ビニル、ポリアセタール、ＰＶＣ、ＡＳＡ、ＡＢＳ、ナイロンなどのプラスチックス材料により、前記レール４と一体的な単一成形品として形成するのが好ましい。
【００１９】
また、前記固定部材５としては、壁面Ｂに直接または巾木Ｃを介して接着する接着剤層９、例えば、ポリ酢酸ビニル、尿素樹脂などを用いた接着テープが用いられ、その他、温硬化エポキシ樹脂接着剤などのエポキシ樹脂系接着剤や、乾燥の早いニトロセルローズ系或いは酢酸ビニル樹脂系の溶剤形接着剤が用いられるが、セルロース系、アルキド、ポリアミド、ポリスチレン、アクリルエステル、合成ゴムなどの熱可塑性樹脂接着剤や、尿素樹脂、フェノール樹脂、メラミン樹脂、不飽和ポリエステル樹脂などの熱硬化性樹脂接着剤も選んで用いることができる。
特に、前記縁取り片３が合成樹脂製で構成される場合は、ＡＢＳ樹脂系の接着剤若しくはプラッスチックの原料となるモノマーに重合触媒や重合促進剤を混合して重合と同時に接着を行なうモノマーセメントを用いるのも好ましい。
【００２０】
さらに、前記固定部材５は、前記差し込みレール４に沿って全体に設けるか、或いは所定間隔を置いて部分的に複数設けるかが選べるが、施工上少なくとも両端部位に設けて部品点数を減らせた状態で、かつ前記縁取り片３が保持し易く作業性を簡便化するのが好ましい。
【００２１】
図３に示すように、前記防水パン１或いは床面Ａの排水口１２に排水トラップ本体１３が嵌合され床面上に防水パン１が載置固定されて用いられる。
この例では、洗濯機の排水を外部に洩れることなく受けて排出できる防水パン１は、床面Ａの排水口に嵌合されて固定され、排水口は洗濯機排水ホースを接続し、かつ床面Ａ下に配設される排水管Ｅに連結されて、トラップ機能をはたす排水トラップ本体１３を備えた洗濯機用防水パンとしてあり、この防水パン１の外周縁２上面に前記縁取り片３が載置され、片隅に突き合わせ縁部６を形成して連接配備され、防水パン１の側面および後面の壁面Ｂとの間に介在され、縁取り片３の端部に防水パン１の前面を被覆するカバー体７によって、防水パン１の周囲の隙間を覆いほこりやゴミの溜まり場もなくして綺麗に用い衛生的にも良くすることができ、防水パン１の縁周りの化粧回しとして見栄えをよくして体裁良く用いられる。
【００２２】
前記前記排水トラップ本体１３は、各部材が耐衝撃性、耐腐性、および耐熱性などに優れたＡＢＳ樹脂などで成形され、排水口を覆い防水パン或いは床面に圧接固着されれるが、目皿がねじによって固着できる。そして、エラストマーなどの軟性樹脂からなるエルボのホースジョイントを排水トラップ本体１３に締め付ける形態とすることで、施行工事も簡便で汎用性に富んだものにすることができる。
【００２３】
図１の例でも、洗濯機に排水トラップを取り付けるには、床面に設けられた排水管Ｅの管径を確認し、排水トラップ本体１３の排水管接続部に排水管Ｅを接続固着する。次いで、防水パン１に排水トラップ本体１３を固着し、目皿のホースジョイントに洗濯機の排水ホースを挿入接続すれば、排水トラップの施工作業を終了することができる。
【００２４】
なお、防水パンにおける目地材の取り付け方を図１を参照して説明すると、図１は巾木Ｃを壁面Ｂと防水パン１の外周縁２との間に介在した状態を示すが、先ず、該巾木Ｃに固定部材５を接着剤層９によって接着固定しておく。次に、防水パン１が床面の排水口に嵌合されて床面Ａに固定され、排水を外部に洩れることなく受けて排出できるようにする。
そして、防水パン１の外周縁２の上面に沿って、縁取り片３を配置し下面に突出する差し込みレール４を前記固定部材５の嵌合溝８に嵌め込み、長手方向の嵌合溝８を利用して縁取り片３を長手方向にスライドすることができて縁取り片３の位置調整を容易に行うことができ、防水パン１の外周縁２と壁面Ｂとの間に隙間Ｄが生じても、該隙間Ｄを縁取り片３によって覆い、排水漏れ防止を確実・完全なものにすることができるようにしている。
また、前記差し込みレール４は、突条、溝条或いは凹凸面部１１からなる挿入部を有しているので、前記固定部材の嵌合溝８に嵌入された後は上下方向に対しては抜け難くなっていて、前記縁取り片３が防水パン１の外周縁２上に確実に保持され、防水パン１の立ち上げ縁取り部分の外周縁２と壁面Ｂとの間の隙間Ｄに排水漏れやゴミ溜まりがなく汚れないで衛生的に用いることができる。
【００２５】
図４および図５の本考案の他の実施例では、前記固定部材５を巾木Ｃに釘１５によって取付けて釘止めしたのちに防水パン１の外周縁２の上面に沿って、縁取り片３を配置し下面に突出する差し込みレール４を前記固定部材５の嵌合溝８に嵌め込んだもので、この釘止めは巾木Ｃを貫通して壁面Ｂに打ち込んでもいいし、壁面Ｂに接着あるいは固定した巾木Ｃのみに打ち込んでもよい。この場合、前記固定部材５には上方面に取付片１６を一体に突設したものを用いるのが施工上好ましい。
また、前記縁取り片３の前面側或いは側面側において巾木取り合い部では、図５に示すように縁取り片３に形成したＶ溝１０から外周側をカットして巾方向の寸法合わせが調整できるようにしてある。さらに前記縁取り片３は外周先端部は若干上方に反りを入れた曲面を作って壁面Ｂに沿わせて飛沫水などの隙間への浸入を防ぐと共に、施工体裁をも良好にすることができる。
【産業上の利用可能性】
【００２６】
本考案に係る防水パンにおける目地材は、床面施工或いは取り外しが容易なため洗い場或いは集合住宅などの防水パンを設置する場所に好適に利用できる。
【図面の簡単な説明】
【００２７】
【図１】本考案に係る防水パンにおける目地材を示す図で、その使用状態の一部の縦断面図である。
【図２】図１の例で用いられる一部切欠した斜視図である。
【図３】防水パンの使用状態の一例を示し、（ａ）はその平面図、（ｂ）はその縦断面図である。
【図４】本考案に係る防水パンにおける目地材の他の実施例を示す一部切欠した斜視図である。
【図５】図４のａ−ａ線における拡大縦断面図である。
【符号の説明】
【００２８】
Ａ    床面    
Ｂ    壁面
Ｃ    巾木      
Ｄ    隙間      
Ｅ    排水管
１    防水パン  
２    外周縁      
３    縁取り片    
４    差し込みレール
５    固定部材
６    突き合わせ縁部  
７    カバー体
８    嵌合溝  
９    接着剤層
１０    Ｖ溝  
１１    凹凸面部
１２    排水口
１３    排水トラップ本体  
１４    パテ材
１５    釘
１６    取付片
【図１】
0003107273.tif 000003
【図２】
0003107273.tif 000004
【図３】
0003107273.tif 000005
【図４】
0003107273.tif 000006
【図５】
0003107273.tif 000007